(57)【要約】【課題】段積み陳列時に連続性を強調して、消費者への訴求力を高められる包装陳列箱を提供する。【解決手段】周壁１２を切裂帯により切断して上部を除去し、残存したトレー体１４から商品を露出させて開梱陳列する包装陳列箱において、周壁１２の側面板１に、切裂帯から切目線を入れて、側面板１に上方へ突出する立上片８を設け、図柄９ａ，９ｃを立上片８の上端縁で途切れるように印刷し、図柄９ｂを側面板１の下端縁で途切れるように印刷しておき、開梱した段積み陳列状態で、トレー体１４の図柄９ａ，９ｂ、９ｃが上下方向に連続して見えるようにする。【選択図】図１
2007297131.tif 000002
【特許請求の範囲】
【請求項１】
上部が開放されたトレー体の周壁に図柄を印刷し、商品の物流用包装及び陳列に使用する包装陳列箱において、周壁の側面板に、上方へ突出する立上片を設け、図柄を立上片の端縁で途切れるように印刷しておき、段積み陳列状態で、下段側の立上片の図柄と、上段側の側面板の図柄とが連続して見えるようにしたことを特徴とする包装陳列箱。
【請求項２】
図柄を印刷した周壁を切裂帯により切断して上部を除去し、残存したトレー体から商品を露出させて開梱陳列する請求項１に記載の包装陳列箱において、切裂帯から切目線を入れて立上片を設け、開梱した段積み陳列状態で、図柄が上下方向に連続して見えるようにしたことを特徴とする包装陳列箱。
【請求項３】
請求項２に記載の包装陳列箱において、周壁の側面板に、商品の収納位置に対応して、商品の外観と同様のデザインの図柄を印刷しておき、開梱陳列状態で、トレー体の側面板の図柄と商品とが連続して見えるようにしたことを特徴とする包装陳列箱。
【発明の詳細な説明】
【技術分野】
【０００１】
この発明は、商品の物流用包装及び店頭での陳列に使用し、販売促進用の印刷を施した包装陳列箱に関するものである。
【背景技術】
【０００２】
従来、下記特許文献１には、周壁を切裂帯により切断して上部を除去し、残存したトレー体から商品を露出させて開梱陳列する包装陳列箱において、周壁の側面板に商品の外観を表す図柄を印刷しておき、上部を除去した開梱陳列時に、トレー体の側面板の図柄と商品とが連続して見えるようにしたものが記載されている。
【０００３】
【特許文献１】特開２００４−２３１２５５号公報
【発明の開示】
【発明が解決しようとする課題】
【０００４】
しかしながら、上記のような包装陳列箱では、段積みして開梱陳列する際、上下の箱に連続性が感じられず、消費者への訴求効果があまり高くないという問題がある。
【０００５】
そこで、この発明は、段積み陳列時に連続性を強調して、消費者への訴求力を高められる包装陳列箱を提供することを課題とする。
【課題を解決するための手段】
【０００６】
上記課題を解決するため、この発明は、上部が開放されたトレー体の周壁に図柄を印刷し、商品の物流用包装及び陳列に使用する包装陳列箱において、周壁の側面板に、上方へ突出する立上片を設け、図柄を立上片の端縁で途切れるように印刷しておき、段積み陳列状態で、下段側の立上片の図柄と、上段側の側面板の図柄とが連続して見えるようにしたのである。
【０００７】
また、図柄を印刷した周壁を切裂帯により切断して上部を除去し、残存したトレー体から商品を露出させて開梱陳列する前記包装陳列箱において、切裂帯から切目線を入れて立上片を設け、開梱した段積み陳列状態で、図柄が上下方向に連続して見えるようにしたのである。
【０００８】
さらに、前記包装陳列箱において、周壁の側面板に、商品の収納位置に対応して、商品の外観と同様のデザインの図柄を印刷しておき、開梱陳列状態で、トレー体の側面板の図柄と商品とが連続して見えるようにしたのである。
【発明の効果】
【０００９】
この包装陳列箱では、段積みして陳列する際、立上片の印刷により図柄が連続するようにしたので、箱の連続性が強調され、消費者への訴求力が高められる。また、開梱して陳列する際にも、図柄が上下方向に連続して見え、側面板の図柄と商品とが連続して見えるようにしたものでは、販売促進効果の一層の向上が期待できる。
【発明を実施するための最良の形態】
【００１０】
まず、この発明の第１実施形態を図１乃至図５に基づいて説明する。
【００１１】
図１に示すように、この包装陳列箱は、商品であるビールの缶Ｃの包装に使用されるラップラウンド式の段ボール箱であり、店頭での陳列時には、複数段積み上げ、そのうち最上段から数段のものを開梱した状態で陳列することを想定したものである。
【００１２】
この包装陳列箱の段ボールブランクでは、図２に示すように、一方の側面板１、底面板２、他方の側面板１及び天面板３が順次連設され、一方の側面板１に継代片４が連設されている。側面板１の両端には端フラップ５ａが、底面板２及び天面板３の両端には端フラップ５ｂがそれぞれ連設されている。
【００１３】
各側面板１及び端フラップ５ａには、切裂帯６として裏面にカットテープが貼着され、その途中に複数個の摘み部６ａが設けられている。摘み部６ａから天面板３及び継代片４へ至る２本の切目線７ａと、これらの切目線７ａの終端間に亘る切目線７ｂの内側には、台形状の立上片８が設けられている。切目線７ａ，７ｂは、鉤形の切目が断続するジッパ型とされている。
【００１４】
また、各側面板１には、少し傾けた缶の外観デザインを、中間部、上角部及び下角部に分割した図柄９ａ，９ｂ，９ｃが印刷されている。図柄９ａ，９ｂ，９ｃは、図柄９ａ，９ｃの上端分割線が切目線７ｂに臨み、図柄９ａ，９ｂの下端分割線が底面板２との境界に臨むように配置されている。
【００１５】
さらに、各側面板１には、組立状態で切裂帯６の下方となる側の一端部に、物流用バーコード１０ａが印刷され、切裂帯６の上方となる側の一端部に、箱売り用バーコード１０ｂが印刷されている。
【００１６】
上記のようなブランクを組み立てて、缶Ｃを梱包する際には、図３に示すように、一対の側面板１、底面板２及び天面板３で缶Ｃを包み込み、継代片４を天面板３の端部裏面に貼り付けて天壁１１を形成し、端フラップ５ａ，５ｂを順次折り曲げて貼り合わせ、側面板１と端フラップ５ａ，５ｂから周壁１２を形成して、封緘箱１３とする。
【００１７】
一方、この包装陳列箱を店頭で複数段積み上げて陳列する際には、最上段及びその下方の段となるものについて、図４に示すように、立上片８の外側の摘み部６ａから切裂帯６を引っ張って、周壁１２の側面板１及び端フラップ５ａを切断する。
【００１８】
次に、切裂帯６により引き裂かれた周壁１２の隙間に手を入れ、切目線７ａ，７ｂの繋部を切断しつつ、切裂帯６の上方部分を引き上げて除去し、図５に示すように、残存したトレー体１４から缶Ｃを露出させる。
【００１９】
そして、図１に示すように、封緘箱１３を複数段積み上げ、その上方にトレー体１４を複数段積み上げると、箱の上部が除去されたトレー体１４の段においても、立上片８の印刷により図柄９ａ，９ｂ，９ｃが上下方向に連続して、箱の連続性が強調され、消費者への訴求力が高められる。
【００２０】
なお、このような訴求効果が必要ない場合には、図５に示すトレー体１４の状態において、立上片８の内側の摘み部６ａから切裂帯６を引っ張ることにより、立上片８を切り取ることもできる。
【００２１】
次に、この発明の第２実施形態を図６乃至図１０に基づいて説明する。
【００２２】
図６に示すように、この包装陳列箱もまた、商品であるビールの缶Ｃの包装に使用されるラップラウンド式の段ボール箱であり、上記第１実施形態とは、側面板１に施された印刷のみ異なるものである。
【００２３】
この包装陳列箱のブランクでは、図７に示すように、各側面板１に、商品の缶の外観と同様のデザインであって、缶Ｃの収納位置に対応した図柄１５が印刷されている。また、分割したロゴマークの上部及び下部の図柄１６ａ，１６ｂが印刷され、図柄１６ａ、１６ｂは、図柄１６ａの上端分割線が切目線７ｂに臨み、図柄１６ｂの下端分割線が底面板２との境界に臨むように配置されている。
【００２４】
上記ブランクを組み立てて、缶Ｃを梱包する際には、図８に示すように、一対の側面板１、底面板２及び天面板３で缶Ｃを包み込み、継代片４を天面板３の端部裏面に貼り付けて天壁１１を形成し、端フラップ５ａ，５ｂを順次折り曲げて貼り合わせ、側面板１と端フラップ５ａ，５ｂから周壁１２を形成して、封緘箱１３とする。
【００２５】
一方、この包装陳列箱を店頭で複数段積み上げて陳列する際には、最上段及びその下方の段となるものについて、図９に示すように、立上片８の外側の摘み部６ａから切裂帯６を引っ張って、周壁１２の側面板１及び端フラップ５ａを切断し、切目線７ａ，７ｂの繋部を切断しつつ、切裂帯６の上方部分を引き上げて除去することにより、図１０に示すように、残存したトレー体１４から缶Ｃを露出させる。
【００２６】
そして、図６に示すように、封緘箱１３を複数段積み上げ、その上方にトレー体１４を複数段積み上げると、箱の上部が除去されたトレー体１４の段においても、側面板１の図柄１５と缶Ｃとが連続して見えるほか、下段の立上片８に印刷された図柄１６ａと、上段の側面板１に印刷された図柄１６ｂとが上下方向に連続して、箱の連続性が強調され、販売促進効果の向上が期待できる。
【００２７】
次に、この発明の第３実施形態を図１１に基づいて説明する。
【００２８】
この包装陳列箱は、農産物等の運搬に使用されるものであり、上記実施形態のように、常時上部が開放されたトレー体１４のみから構成される。
【００２９】
このトレー体１４の周壁１２をなす一対の側面板１には、上方へ突出する立上片８が設けられ、立上片８の側部には、トマトの外観の一部分が途切れた図柄１７ａが印刷されている。また、側面板１の下部には、トマトの一部分の断面の図柄１７ｂと、そのトマトの他の部分の外観の図柄１７ｃとが印刷されている。
【００３０】
上記のようなトレー体１４を積み上げて陳列する際には、下段側のトレー体１４の対向する立上片８の上部間隔を押し広げて、これらの立上片８の間に上段側のトレー体１４の下部を挿入する。
【００３１】
この段積み陳列状態では、下段側のトレー体１４の図柄１７ａと、上段側のトレー体１４の図柄１７ｂとが左右に連続して、一部分が断面となった一個のトマトのように見えるので、箱の連続性が強調され、消費者への訴求力が高められる。
【図面の簡単な説明】
【００３２】
【図１】第１実施形態に係る包装陳列箱の開梱した段積み陳列状態を示す斜視図
【図２】同上の包装陳列箱のブランクを示す図
【図３】同上の封緘箱とした状態を示す斜視図
【図４】同上の開梱過程を示す斜視図
【図５】同上の開梱状態を示す斜視図
【図６】第２実施形態に係る包装陳列箱の開梱した段積み陳列状態を示す斜視図
【図７】同上の包装陳列箱のブランクを示す図
【図８】同上の封緘箱とした状態を示す斜視図
【図９】同上の開梱過程を示す斜視図
【図１０】同上の開梱状態を示す斜視図
【図１１】第３実施形態に係る包装陳列箱の段積み陳列状態を示す斜視図
【符号の説明】
【００３３】
１  側面板
２  底面板
３  天面板
４  継代片
５ａ，５ｂ  端フラップ
６  切裂帯
６ａ  摘み部
７ａ，７ｂ  切目線
８  立上片
９ａ，９ｂ，９ｃ  図柄
１０ａ，１０ｂ  バーコード
１１  天壁
１２  周壁
１３  封緘箱
１４  トレー体
１５，１６ａ．１６ｂ  図柄
１７ａ，１７ｂ，１７ｃ  図柄
【図１】
2007297131.tif 000003
【図２】
2007297131.tif 000004
【図３】
2007297131.tif 000005
【図４】
2007297131.tif 000006
【図５】
2007297131.tif 000007
【図６】
2007297131.tif 000008
【図７】
2007297131.tif 000009
【図８】
2007297131.tif 000010
【図９】
2007297131.tif 000011
【図１０】
2007297131.tif 000012
【図１１】
2007297131.tif 000013